(57)【特許請求の範囲】
【請求項１】
住宅内ネットワークに無線あるいは有線により接続される設備機器に対して動作制御信号の送信及び動作状態信号の受信が可能で、住宅外の通信網に接続されるサーバを介して携帯型通信装置からアクセスが可能に構成された集中制御装置と、
浴槽への自動給湯が可能であって、前記浴槽の水量が増加しないことを検知して自動給湯を停止する機能を有する給湯装置と、
操作入力あるいは制御信号の入力に応じて前記給湯装置に対して自動給湯信号を出力すると共に前記給湯装置から出力される給湯状態信号を取得して外部に出力可能に設けられた給湯制御装置と、
前記集中制御装置と前記給湯制御装置との間に介在され前記自動給湯信号及び給湯状態信号の授受が可能に構成された信号変換アダプタとを備え、
前記集中制御装置は、
計時手段を備え、
前記給湯制御装置に自動給湯信号を出力させたときに前記給湯制御装置から給湯状態信号を受信すると、前記計時手段に計時動作を開始させ、
前記給湯制御装置からの給湯状態信号がオフになったときに前記計時手段による計時動作を停止し、そのときの計時時間が前記浴槽への自動給湯に要する時間に達していない場合には、前記携帯型通信装置に対して自動給湯が予定時間で行われなかったことを通知することを特徴とする給湯装置制御システム。
【請求項２】
請求項１に記載の給湯装置制御システムにおいて、
前記集中制御装置は、
前記給湯制御装置からの給湯状態信号がオンの状態のまま前記計時時間が前記浴槽への自動給湯に要する時間を越えた場合には、前記携帯型通信装置に対して自動給湯が予定時間を越えていることを通知することを特徴とする給湯装置制御システム。
【請求項３】
住宅内ネットワークに無線あるいは有線により接続される設備機器に対して動作制御信号の送信及び動作状態信号の受信が可能で、住宅外の通信網に接続されるサーバを介して携帯型通信装置からアクセスが可能に構成された集中制御装置と、
浴槽への自動給湯が可能な給湯装置と、
操作入力あるいは制御信号の入力に応じて前記給湯装置に対して自動給湯信号を出力すると共に前記給湯装置から出力される給湯状態信号を取得して外部に出力可能に設けられた給湯制御装置と、
前記集中制御装置と前記給湯制御装置との間に介在され前記自動給湯信号及び給湯状態信号の授受が可能に構成された信号変換アダプタとを備え、
前記集中制御装置は、前記携帯型通信装置から前記サーバを経由して自動給湯の停止を指示する信号を受信すると、前記信号変換アダプタを介して前記給湯制御装置に自動給湯信号の出力を停止させると共に、その後、前記信号変換アダプタを介して前記給湯制御装置から取得する給湯状態信号がオフとなって自動給湯停止を判定すると、前記サーバを経由して前記携帯型通信装置に対して自動給湯が停止したことを通知することを特徴とする給湯装置制御システム。
【請求項４】
住宅内ネットワークに無線あるいは有線により接続される設備機器に対して動作制御信号の送信及び動作状態信号の受信が可能で、住宅外の通信網に接続されるサーバを介して携帯型通信装置からアクセスが可能に構成され、複数の前記携帯型通信装置に対して自動給湯に関する情報を通知する集中制御装置と、
浴槽への自動給湯が可能な給湯装置と、
操作入力あるいは制御信号の入力に応じて前記給湯装置に対して自動給湯信号を出力すると共に前記給湯装置から出力される給湯状態信号を取得して外部に出力可能に設けられた給湯制御装置と、
前記集中制御装置と前記給湯制御装置との間に介在され前記自動給湯信号及び給湯状態信号の授受が可能に構成された信号変換アダプタとを備え、
前記集中制御装置は、前記携帯型通信装置から前記サーバを経由して自動給湯の開始を指示する信号を受信すると、前記信号変換アダプタを介して前記給湯制御装置に自動給湯信号の出力を開始させると共に、その後、前記信号変換アダプタを介して前記給湯制御装置から取得する給湯状態信号がオフとなって自動給湯終了を判定すると、前記サーバを経由して前記携帯型通信装置に対して自動給湯が終了したことを通知することを特徴とする給湯装置制御システム。
【請求項５】
住宅内ネットワークに無線あるいは有線により接続される設備機器に対して動作制御信号の送信及び動作状態信号の受信が可能で、住宅外の通信網に接続されるサーバを介して携帯型通信装置からアクセスが可能に構成された集中制御装置と、
浴槽への自動給湯が可能な給湯装置と、
操作入力あるいは制御信号の入力に応じて前記給湯装置に対して自動給湯信号を出力すると共に前記給湯装置から出力される給湯状態信号を取得して外部に出力可能に設けられた給湯制御装置と、
前記集中制御装置と前記給湯制御装置との間に介在され前記自動給湯信号及び給湯状態信号の授受が可能に構成された信号変換アダプタと、
予約時刻を設定可能な予約設定手段と、
を備え、
前記集中制御装置は、前記予約設定手段に予め設定された予約時刻になると、前記サーバを経由して前記携帯型通信装置に対して自動給湯を開始するか否かを確認するための情報を通知し、その後、前記携帯型通信装置から前記サーバを経由して自動給湯の開始を指示する信号を受信した場合に、前記信号変換アダプタを介して前記給湯制御装置に自動給湯信号を出力させることを特徴とする給湯装置制御システム。
【発明の詳細な説明】
【技術分野】
【０００１】
本発明は、携帯電話機などの携帯型通信装置を用いて給湯装置の自動給湯を遠隔操作することができる給湯装置制御システムに関する。
【背景技術】
【０００２】
近年では、携帯電話機を用いて住宅設備機器や家電機器などを遠隔操作することができるシステムが登場しつつある。例えば特許文献１に示されるシステムは、給湯装置に携帯電話機と通信可能なインターフェースが設けられていて、このインターフェースを介して、携帯電話機から給湯装置を遠隔操作するものが示されている。これにより、例えば外出先からでも、携帯電話機を用いて湯はりを行うことができる。
【特許文献１】特開２００２−１７４４５３号公報
【発明の開示】
【発明が解決しようとする課題】
【０００３】
しかしながら、従来の給湯装置は、基本的に携帯電話機と通信可能なインターフェースを備えていないものが一般的である。そのため、上記した構成のシステムを構築する場合、既存の給湯装置に新たに携帯電話機用のインターフェースを設けなければならない。また、給湯装置に携帯電話機用のインターフェースを設けたとしても、一般的な給湯装置においては、自動給湯のオン・オフ機能に対応した簡単な制御しか行えないものであった。
【０００４】
本発明は、上記した事情に鑑みてなされたものであり、その目的は、既存の給湯装置に新たに携帯電話機のための専用のインターフェースを設けなくとも給湯装置の自動給湯を遠隔操作することができ、しかも、その機能を利便性の高いものとすることができる給湯装置制御システムを提供することにある。
【課題を解決するための手段】
【０００５】
本発明の給湯装置制御システムは、住宅内ネットワークに無線あるいは有線により接続される設備機器に対して動作制御信号の送信及び動作状態信号の受信が可能で、住宅外の通信網に接続されるサーバを介して携帯型通信装置からアクセスが可能に構成された集中制御装置と、浴槽への自動給湯が可能であって、前記浴槽の水量が増加しないことを検知して自動給湯を停止する機能を有する給湯装置と、操作入力あるいは制御信号の入力に応じて前記給湯装置に対して自動給湯信号を出力すると共に前記給湯装置から出力される給湯状態信号を取得して外部に出力可能に設けられた給湯制御装置と、前記集中制御装置と前記給湯制御装置との間に介在され前記自動給湯信号及び給湯状態信号の授受が可能に構成された信号変換アダプタとを備え、前記集中制御装置は、計時手段を備え、前記給湯制御装置に自動給湯信号を出力させたときに前記給湯制御装置から給湯状態信号を受信すると、前記計時手段に計時動作を開始させ、前記給湯制御装置からの給湯状態信号がオフになったときに前記計時手段による計時動作を停止し、そのときの計時時間が前記浴槽への自動給湯に要する時間に達していない場合には、前記携帯型通信装置に対して自動給湯が予定時間で行われなかったことを通知するところに特徴を有する（請求項１）。
【０００８】
上記請求項１に記載の給湯装置制御システムにおいて、前記集中制御装置は、前記給湯制御装置からの給湯状態信号がオンの状態のまま前記計時時間が前記浴槽への自動給湯に要する時間を越えた場合には、前記携帯型通信装置に対して自動給湯が予定時間を越えていることを通知するように構成すると良い（請求項２）。
【０００９】
また、本発明の給湯装置制御システムにおいて、前記集中制御装置は、前記携帯型通信装置から前記サーバを経由して自動給湯の停止を指示する信号を受信すると、前記信号変換アダプタを介して前記給湯制御装置に自動給湯信号の出力を停止させると共に、その後、前記信号変換アダプタを介して前記給湯制御装置から取得する給湯状態信号がオフとなって自動給湯停止を判定すると、前記サーバを経由して前記携帯型通信装置に対して自動給湯が停止したことを通知するように構成すると良い（請求項３）。
【００１０】
また、本発明の給湯装置制御システムにおいて、前記集中制御装置は、複数の前記携帯型通信装置に対して自動給湯に関する情報を通知するように構成すると良い（請求項４）。
【００１１】
また、本発明の給湯装置制御システムにおいて、予約時刻を設定可能な予約設定手段を備え、前記集中制御装置は、前記予約設定手段に予め設定された予約時刻になると、前記サーバを経由して前記携帯型通信装置に対して自動給湯を開始するか否かを確認するための情報を通知し、その後、前記携帯型通信装置から前記サーバを経由して自動給湯の開始を指示する信号を受信した場合に、前記信号変換アダプタを介して前記給湯制御装置に自動給湯信号を出力させるように構成すると良い（請求項５）。
【発明の効果】
【００１３】
本発明は、上記構成を採用しているので次のような効果を得ることができる。
請求項１に記載の発明によれば、集中制御装置は、信号変換アダプタを介して給湯制御装置に自動給湯信号の出力を開始させると共に、信号変換アダプタを介して給湯制御装置から給湯状態信号を取得するように設定することが可能である。
これにより、給湯装置の自動給湯動作を制御する給湯制御装置を信号変換アダプタに連結しておけば、携帯型通信装置から給湯装置の自動給湯を操作することができ、既存の給湯装置に新たに携帯電話機のための専用のインターフェースを設けなくとも給湯装置の自動給湯を遠隔操作することができる。
【００１４】
さらに、給湯装置が浴槽の水量が増加しないことを検知することは、例えば浴槽の栓が抜けている場合など自動給湯動作の初期の段階で発生する可能性が高い。そのため、給湯装置が自動給湯動作を停止したときの計時時間は、浴槽への自動給湯に要する時間に達していない場合が多い。この場合に、携帯型通信装置に対して自動給湯が予定時間で行われなかったことを通知することにより、湯はりが完了していないことを確認できると共に、自動給湯が予定時間で行われなかった原因（この場合では浴槽の栓が抜けていることなど）をある程度推測することができる。
【００１５】
請求項２に記載の発明によれば、給湯制御装置からの給湯状態信号がオンの状態のまま計時時間が浴槽への自動給湯に要する時間を越えた場合に、携帯型通信装置に対して自動給湯が予定時間を越えていることを通知することにより、例えば給湯装置の加熱能力が何らかの原因で低下している状態などで、自動給湯が通常要する時間以上を要していることを外出先にて認識することができる。
【００１６】
請求項３に記載の発明によれば、前述のようにして自動給湯を開始させた後に、使用者の都合で自動給湯を止めたい場合や、自動給湯が通常要する時間以上を要していて強制的に停止したい場合などに、携帯型通信装置から自動給湯を停止させることができると共に、自動給湯が停止したことを確認することができる。
【００１７】
請求項４に記載の発明によれば、複数の使用者のうちの１人が自動給湯動作を開始させると、他の使用者の携帯型通信装置に対しても自動給湯に関する情報が通知され、全員が湯はりの状態を確認することができる。
【００１８】
請求項５に記載の発明によれば、外出先からも自動給湯の予約をすることができ、また、予約時刻になると、使用者が自動給湯を開始するか否かの通知を受けて何れかを選択することができる。これにより、自動給湯の開始を確認できると共に、予約を変更したいときには取り止めるなどして、使用者のライフスタイルに合わせて湯はりを行うことができる。
【発明を実施するための最良の形態】
【００２０】
（第１の実施形態）
以下、本発明の第１の実施形態について図１ないし図８を参照して説明する。
図１は全体構成の概略を示すもので、住宅１内の構成とこれに関連する宅外の構成である。住宅１内には、ホームゲートウェイ２（集中制御装置に相当）が設けられており、種々のネットワーク設備機器３〜７が通信可能に接続されている。ホームゲートウェイ２は、ネットワーク設備機器３〜７に対して制御コマンド（動作制御信号に相当）を送信可能に構成されていると共に、ネットワーク設備機器３〜７の動作状態に応じた信号（動作状態信号に相当）を受信可能に構成されている。また、ホームゲートウェイ２には、例えばマイコンに内蔵されたカウンタにより計時可能に構成されたタイマー機能（計時手段に相当）が設けられている。
【００２１】
ネットワーク設備機器３〜７は、家庭で使われる一般的な家電機器に加えて住宅設備機器も含んでいる。ここでは、例えばエアコン３、照明灯４、ＩＨクッキングヒータ５、床暖房機６、冷蔵庫７などであるが、他に電話機、洗濯機、電子レンジ、炊飯器、オーディオ機器、パソコン、テレビ、ビデオデッキなど種々のものが適用可能である。これらネットワーク設備機器３〜７は、それぞれブルートゥース（登録商標）通信を行うためのインターフェース３ａ〜７ａを備え、ホームゲートウェイ２に接続されたブルートゥースインターフェース２ａを介してピコネットを形成することで相互通信が可能な構成となっている。なお、図示の状態では、例えばエアコン３や照明灯４は代表で１個を示しているが、住宅１内の各部屋に設けるのが一般的であるから実際には複数個設けられている。そして、これらのネットワーク設備機器３〜７は、ホームゲートウェイ２から制御コマンドを受け取ると、その制御コマンドに応じた動作を実行すると共に、その動作状態に応じた信号をホームゲートウェイ２に送信するように構成されている。
【００２２】
また、本実施形態においては、住宅設備機器のうち浴槽への自動給湯が可能な給湯器８（給湯装置に相当）が、上述のブルートゥース（登録商標）通信とは別の形態により、ホームゲートウェイ２に通信可能に接続されている。ここで、給湯器８の接続形態について説明する。
【００２３】
ホームゲートウェイ２には、アダプタ９（信号変換アダプタに相当）が設けられている。このアダプタ９は、ホームゲートウェイ２に設けられたコンタクトＩ／Ｏ端子（図示せず）に信号線を介して接続されている。なお、このコンタクトＩ／Ｏ端子はＪＥＭ−Ａ端子（日本電機工業会規格に準拠した端子）に相当するものであり、制御用の信号を入力するための２個の制御端子と監視用の信号を出力するための２個の監視端子を備えて構成されている。また、アダプタ９には、各種住宅設備機器のリモコンを接続可能なコネクタ９ａが設けられている。
【００２４】
一方、住宅１内の例えば台所（図示せず）には、給湯器８の浴槽（図示せず）への自動給湯を制御する給湯リモコン１０（給湯制御装置に相当）が設けられている。そして、この給湯リモコン１０の信号線１０ａを上述したアダプタ９のコネクタ９ａに接続することにより、ホームゲートウェイ２と給湯リモコン１０との相互通信が可能な構成となっている。なお、給湯器８は、例えば水圧センサなどによって浴槽の水量が増加しないことを検知可能に構成されていて、浴槽の水量が増加しない場合に自動給湯を停止する機能を有している。また、自動給湯とは、給湯リモコン１０で予め設定されている湯温や湯量で給湯を自動的に停止させる機能である。
【００２５】
ホームゲートウェイ２には、ＬＡＮインターフェース２ｂを介してパソコン１１（情報端末装置に相当）が接続可能に構成されている。ホームゲートウェイ２は、モデム２ｃを介してインターネット１２に接続可能に設けられている。インターネット１２に接続されるＡＳＰ（Application Service Provider）サーバ１３にアクセスすることができる。ＡＳＰサーバ１３には、データベース１４が設けられており、多数の住宅１に対応して情報を記憶するように構成されている。
【００２６】
上述のＡＳＰサーバ１３は、設備機器（ネットワーク設備機器３〜７や給湯器８など）について、その販売者或いはサービス提供業者が設置しているもので、設備機器に関する各種サービスをインターネット１２を介して使用者に提供するためのものである。また、データベース１４には、データベースとしてユーザ情報データベースや設備機器の制御アプリケーションソフトウェアを保持する家電アプリケーションデータベースが設けられている。
【００２７】
具体的には、ユーザ情報データベースには、例えば、ユーザＩＤと氏名のリスト（図２参照）や、ユーザＩＤと設備機器及びその設置場所のリスト（図３参照）が記憶されている。また、ユーザ登録により受け付けた情報として、例えばＡＳＰサーバ１３へのログインのためのパスワードなどのユーザ情報、ホームゲートウェイ２のネットワークアドレス（ＭＡＣアドレス）などのホームゲートウェイ２の設定情報、ホームゲートウェイ２に接続された設備機器３〜８のネットワークアドレスや種類、型名といった設定情報が記憶されている。
【００２８】
家電アプリケーションデータベースには、住宅１の外部などホームゲートウェイ２を使って操作できない場合でも、住宅１内のネットワーク設備機器３〜７や給湯器８を遠隔操作（遠隔制御）することができるようにした制御アプリケーションソフトが記憶されている。例えば後述する携帯電話機１５（携帯型通信装置に相当）からＡＳＰサーバ１３にアクセスして制御アプリケーションソフトをダウンロードすることによりこれを実現することができる。また、設備機器及びその設備機器に対応した通知内容のリスト（図４参照）が記憶されている。上述の場合、インターネット１２には、中継サーバ１６を介して携帯電話網１７が接続されており、携帯電話機１５から基地局１８を介してＡＳＰサーバ１３やホームゲートウェイ２などにアクセスすることができるようになっている。
【００２９】
次に、住宅１に設置されたホームセキュリティシステムの構成について簡単に説明する。このホームセキュリティシステムの制御装置として機能するインターホン１９は、住宅１の内部に設けられ、各種操作ボタン１９ａや表示部１９ｂを備えて構成されている。インターホン１９には、玄関に居る来客者と通話するためのドアホン２０、外部からの侵入者やガス漏れなどを検知する各種のセンサ２１ａ〜２１ｃ、玄関ドア２２を施錠する電気錠２３が接続されている。そして、インターホン１９には、ドアホン２０との間でのやり取りを行う機能と、センサ２１ａ〜２１ｃなどによる監視機能と、電気錠２３を遠隔操作する機能が設けられている。この場合、センサ２１ａ〜２１ｃなどが外部からの侵入者を検知すると、インターホン１９に設けられている制御装置によりこれを判断して自動的に警備会社に通報することができるようになっている。
【００３０】
上述のインターホン１９は住宅用設備の制御／監視用インターフェースであるＪＥＭ−Ａ端子１９ｃを有している。このＪＥＭ−Ａ端子１９ｃは、上述のコンタクトＩ／Ｏ端子と同様に、制御用の信号を入力するための２個の制御端子と監視用の信号を出力するための２個の監視端子を備えて構成されている。そして、インターホン１９は、ＪＥＭ−Ａ端子１９ｃを通じてホームゲートウェイ２のＪＥＭ−Ａ端子２ｄに接続されている。
【００３１】
次に、上記構成の作用について説明する。
まず、外出先から自動給湯をするための準備として、外出前に浴槽の排水口の栓を閉めておくことが必要である。また、携帯電話機１５には、ＡＳＰサーバ１３にアクセスして後述する制御アプリケーションを予めダウンロードしておくことが必要である。
【００３２】
外出先から給湯器８に浴槽への自動給湯を開始させる場合、携帯電話機１５にダウンロードした制御アプリケーションを起動すると、ＡＳＰサーバ１３から図５（ａ）に示すメニュー画面２４の情報が携帯電話機１５に送信される。このメニュー画面２４には、「お知らせ」ボタン２４ａ、「生活情報」ボタン２４ｂ、「生活リモコン」ボタン２４ｃ、「お問合せ」ボタン２４ｄが表示される。ここで、「お知らせ」ボタン２４ａは、上記構成のシステムに関する情報を使用者に知らせるためのボタンである。「生活情報」ボタン２４ｂは、例えば天気予報や交通機関の時刻表などの生活に役立つ情報を使用者に知らせるためのボタンである。「生活リモコン」ボタン２４ｃは、ネットワーク設備機器３〜７及び給湯器８を遠隔操作するサービスを実行するためのボタンである。「お問合せ」ボタン２４ｄは、使用者からの問い合わせを受け付けるためのボタンである。
【００３３】
使用者が「生活リモコン」ボタン２４ｃを操作すると、ＡＳＰサーバ１３から図５（ｂ）に示す認証処理の画面２５の情報が携帯電話機１５に送信される。使用者がユーザＩＤ及びパスワードを入力して、「ログイン」ボタン２５ａを操作すると、入力した情報がＡＳＰサーバ１３に送信される。
【００３４】
ＡＳＰサーバ１３が認証処理を実行して登録された使用者を確認すると、図５（ｃ）に示すサービス一覧画面２６の情報が携帯電話機１５に送信される。このサービス一覧画面２６には、その使用者が利用できるサービスを実行するためのボタンが表示される。この場合、「湯はりサービス」ボタン２６ａは、給湯器８の自動給湯を遠隔操作するサービスを実行するためのボタンである。「食材管理サービス」ボタン２６ｂは、例えば冷蔵庫７に保存されている食材の在庫や賞味期限などを確認することができるサービスを実行するためのボタンである。この「食材管理サービス」では、保存されている食材に関する情報がデータベース１４に記憶されており、検索条件に対応するデータを読み出して表示するようになっている。
【００３５】
使用者が「湯はりサービス」ボタン２６ａを操作すると、ＡＳＰサーバ１３から図５（ｄ）に示す湯はり操作画面２７の情報が携帯電話機１５に送信される。この湯はり操作画面２７では、「確認」ボタン２７ａ、「湯はり開始」ボタン２７ｂ、「湯はり停止」ボタン２７ｃ、「ログアウト」ボタン２７ｄが表示される。「確認」ボタン２７ａは給湯器８の自動給湯の状態を確認するためのボタンである。「湯はり開始」ボタン２７ｂは、給湯器８の自動給湯を開始させるためのボタンである。「湯はり停止」ボタン２７ｃは、給湯器８の自動給湯を停止させるためのボタンである。「ログアウト」ボタン２７ｄは、湯はりサービス（給湯器８を遠隔操作するサービス）を終了するためのボタンである。
【００３６】
使用者が「湯はり開始」ボタン２７ｂを操作すると、ＡＳＰサーバ１３、ホームゲートウェイ２、アダプタ９、給湯リモコン１０、給湯器８は、次のように動作する。図６は、そのシーケンスを示すものである。
【００３７】
「湯はり開始」ボタン２７ｂが操作されると、携帯電話機１５は、ＡＳＰサーバ１３に給湯開始信号（自動給湯の開始を指示する信号に相当）の送信を要求する（Ａ１）。これを受けて、ＡＳＰサーバ１３は、図３のリストを参照して使用者のユーザＩＤに対応する給湯器８を特定し、その給湯器８に自動給湯を開始させるための給湯開始信号をホームゲートウェイ２に送信する（Ａ２）。これを受けて、ホームゲートウェイ２は、アダプタ９にＯＮ信号を出力する（Ａ３）。アダプタ９は、ホームゲートウェイ２からのＯＮ信号の電圧レベルを給湯リモコン１０に適したレベルに変換して給湯リモコン１０に出力する（Ａ４）。これを受けて、給湯リモコン１０は、給湯器８に対して自動給湯信号の出力を開始する（Ａ５）。これにより、給湯器８に自動給湯信号が与えられ、給湯器８は自動給湯を開始する（Ａ６）。
【００３８】
自動給湯を開始した給湯器８は、給湯状態信号をオンにして給湯リモコン１０に出力する（Ａ７）。給湯リモコン１０は、給湯状態信号（オン）を取得してアダプタ９に中継（出力）する（Ａ８）。アダプタ９は、給湯状態信号（オン）の電圧レベルをホームゲートウェイ２に適したレベルに変換してホームゲートウェイ２に出力する（Ａ９）。これを受けて、ホームゲートウェイ２は、タイマー機能による計時を開始する（Ａ１０）。また、ホームゲートウェイ２は、ＡＳＰサーバ１３を介してメールを作成するために、メール作成信号をＡＳＰサーバ１３に送信する（Ａ１１）。
【００３９】
これを受けて、ＡＳＰサーバ１３は、図４のリストを参照して給湯器８の自動給湯が動作中であることを通知するメールを作成する（Ａ１２）。この場合、通知番号１の「湯はりが開始されました。」という内容のメールを作成する。そして、作成したメールを携帯電話機１５に送信する（Ａ１３）。この場合、携帯電話機１５には、図７（ａ）に示す画面が表示される。これにより、使用者は、湯はりが開始されたことを確認することができる。
【００４０】
給湯器８は、自動給湯が終了すると（Ａ１４）、給湯状態信号をオフにして給湯リモコン１０に出力する（Ａ１５）。給湯リモコン１０は、給湯状態信号（オフ）を取得してアダプタ９に中継（出力）する（Ａ１６）。アダプタ９は、給湯状態信号（オフ）の電圧レベルをホームゲートウェイ２に適したレベルに変換してホームゲートウェイ２に出力する（Ａ１７）。これを受けて、ホームゲートウェイ２は、自動給湯終了を判定し、タイマー機能による計時を終了する（Ａ１８）。また、ホームゲートウェイ２は、ＡＳＰサーバ１３を介して図８に示すメール作成ルーチンを実行するために、このときの計時時間を計時データとしてＡＳＰサーバ１３に送信する（Ａ１９）。
【００４１】
これを受けて、ＡＳＰサーバ１３は、メール作成ルーチンを実行する（Ａ２０）。まず、ＡＳＰサーバ１３は、与えられた計時データに基づいて、計時時間（ｔ）が予定時間（Ｔ）（浴槽への自動給湯に要する時間に相当）に外れているか否か（湯はりが予定時間（Ｔ）で終了していないか否か）を判断する（Ｂ１）。この場合、ＡＳＰサーバ１３は許容範囲として±ΔＴの時間範囲を設けて計時時間（ｔ）の判断を行う。即ち、計時時間（ｔ）が、
予定時間（Ｔ）−ΔＴ＜計時時間（ｔ）＜予定時間（Ｔ）＋ΔＴ
の範囲内であれば、ＡＳＰサーバ１３は、計時時間（ｔ）が予定時間（Ｔ）に外れていないと判断して（Ｂ１にて「ＮＯ」）、通知番号２の「湯はりが終了しました。」という内容のメールを作成する（Ｂ２）。
【００４２】
計時時間（ｔ）が上記の範囲外であれば（Ｂ１にて「ＹＥＳ」）、ＡＳＰサーバ１３は、計時時間（ｔ）が初期停止時間（Ｓ）よりも小さいか否か（湯はりが初期停止したか否か）を判断する（Ｂ３）。この初期停止時間（Ｓ）は、例えば浴槽の栓が抜けていて浴槽の水量が増加しない場合などに、給湯器８が自動給湯を初期の段階で停止したか否かを判断するためのしきい値となるものである。そして、計時時間（ｔ）が初期停止時間（Ｓ）よりも小さい場合（計時時間が浴槽への自動給湯に要する時間に達していない場合に相当）では（Ｂ３にて「ＹＥＳ」）、ＡＳＰサーバ１３は、通知番号３の「湯はりが初期停止しました。」という内容（自動給湯が予定時間で行われなかったことに相当）のメールを作成する（Ｂ４）。
【００４３】
計時時間（ｔ）が初期停止時間（Ｓ）以上の場合では（Ｂ３にて「ＮＯ」）、ＡＳＰサーバ１３は、通知番号４の「湯はりが終了しました。必要に応じてメンテナンスを行ってください。」という内容のメールを作成する（Ｂ５）。つまり、この場合では、例えば給湯管の詰まりやガスの不完全燃焼などの原因で湯はりが予定時間（Ｔ）を越えてしまっている可能性があるため、使用者に給湯器８のメンテナンスを考慮することを促す。
【００４４】
ＡＳＰサーバ１３は、メール作成ルーチンを終了すると、作成したメールを携帯電話機１５に送信する（Ａ２１）。この場合、携帯電話機１５には、湯はりが予定時間で終了した場合では図７（ｂ）に示す画面が、湯はりが初期停止した場合では図７（ｃ）に示す画面が、それ以外の場合では図７（ｄ）に示す画面が表示される。これにより、使用者は、湯はりの結果を確認することができる。
【００４５】
なお、携帯電話機１５は、前述の図５（ｄ）の画面で「確認」ボタン２７ａが操作されると、制御アプリケーションによりホームゲートウェイ２に状態確認信号（自動給湯の状態の確認を要求する信号に相当）を送信するように構成されている。また、ホームゲートウェイ２は、携帯電話機１５から状態確認信号を受信したか否か（「確認」ボタン２７ａが操作されたか否か）を常時監視するように構成されている。そして、ホームゲートウェイ２は、使用者が「確認」ボタン２７ａを操作して携帯電話機１５から状態確認信号を受信すると、そのときにアダプタ９を介して給湯リモコン１０から取得する給湯状態信号に対応して、ＡＳＰサーバ１３を経由して携帯電話機１５に対して自動給湯の状態を通知する。つまり、携帯電話機１５から状態確認信号を受信したときに、給湯器８の自動給湯が動作中（給湯状態信号がオン）であれば湯はりが動作中である旨のメール（図７（ａ）参照）を、給湯器８の自動給湯が停止中（給湯状態信号がオフ）であれば湯はりが停止中である旨のメール（図示せず）を、携帯電話機１５に送信するようになっている。これにより、使用者は、湯はりの状態（動作中または停止中）を確認することができる。
【００４６】
また、携帯電話機１５は、前述の図５（ｄ）の画面で「湯はり停止」ボタン２７ｃが操作されると、制御アプリケーションによりホームゲートウェイ２に給湯停止信号（自動給湯の停止を指示する信号に相当）を送信するように構成されている。また、ホームゲートウェイ２は、携帯電話機１５から給湯停止信号を受信したか否か（「湯はり停止」ボタン２７ｃが操作されたか否か）を、給湯器８の自動給湯が動作中のときに監視するように構成されている。そして、ホームゲートウェイ２は、使用者が「湯はり停止」ボタン２７ｃを操作して携帯電話機１５から給湯停止信号を受信すると、アダプタ９を介して給湯リモコン１０にＯＦＦ信号を出力して、給湯リモコン１０に自動給湯信号の出力を停止させる。これにより、給湯器８に自動給湯信号が与えられなくなり、給湯器８の自動給湯が停止する。この状態では、給湯器８から出力される給湯状態信号がオフとなり、これを受けて、ホームゲートウェイ２は、ＡＳＰサーバ１３を経由して携帯電話機１５に対して自動給湯が停止したことを通知するメール（図示せず）を送信する。
【００４７】
以上に説明したように第１の実施形態によれば、ホームゲートウェイ２は、アダプタ９を介して給湯リモコン１０に自動給湯信号の出力を開始させると共に、アダプタ９を介して給湯リモコン１０から給湯状態信号を取得する。
これにより、給湯器８の自動給湯を制御する給湯リモコン１０をアダプタ９に連結しておけば、携帯電話機１５から給湯器８の自動給湯を操作することができ、既存の給湯器８に新たに携帯電話機１５のための専用のインターフェースを設けなくとも給湯器８の自動給湯を遠隔操作することができる。
また、ホームゲートウェイ２（アダプタ９）のコネクタ９ａに給湯器８（給湯リモコン１０）の信号線１０ａを接続する構成とした。これにより、給湯器８としては信号線１０ａを備えたものであれば適用することができ、給湯器８の汎用性を高めることができる。
【００４８】
また、給湯装置が浴槽の水量が増加しないことを検知することは、上述のように浴槽の栓が抜けている場合などの限られた原因によって自動給湯の初期の段階で発生する可能性が高い。そのため、計時時間（ｔ）が予定時間（Ｔ）に達していない場合に、携帯電話機１５にメールを送信することにより、湯はりが完了していないことを確認できると共に、初期停止した原因（この場合では浴槽の栓が抜けていることなど）をある程度推測することができる。
また、携帯電話機１５から自動給湯を開始させることのみならず停止させることができ、使用者の都合（例えば、急な用事ができた場合など）に合わせて、給湯器８の自動給湯の制御を行うことができる。
【００４９】
（第２の実施形態）
図９及び図１０は本発明の第２の実施形態を示すもので、第１の実施形態と異なるところは、給湯リモコン１０からの給湯状態信号がオンの状態のまま計時時間（ｔ）が予定時間（Ｔ）を越えた場合に、携帯電話機１５に対して自動給湯が予定時間（Ｔ）を越えていることを通知するように構成したところである。
【００５０】
図９は、そのシーケンスを示すものである。ホームゲートウェイ２は、携帯電話機１５からＡＳＰサーバ１３を経由して給湯開始信号を受信すると、アダプタ９を介して給湯リモコン１０に自動給湯信号の出力を開始させる（Ａ１〜Ａ５）。これにより、給湯器８の自動給湯が開始する（Ａ６）。その後、ホームゲートウェイ２は、給湯器８から出力される給湯状態信号（オン）を受けて（Ａ７〜Ａ９）、給湯開始からの経過時間の計時を開始する（Ａ１０）。
【００５１】
ホームゲートウェイ２は、計時を開始すると、給湯器８から出力される給湯状態信号（オフ）を受信したか否かを監視する（Ｃ１）。給湯器８からの給湯状態信号がオンの状態では、ホームゲートウェイ２は、給湯状態信号（オフ）を受信していないと判断し（Ｃ１にて「ＮＯ」）、続いて、計時時間（ｔ）が予定時間（Ｔ）を越えたか否かを監視する（Ｃ２）。この場合、ホームゲートウェイ２は許容範囲としてΔＴ´の許容時間を設けて計時時間（ｔ）の判断を行う。即ち、計時時間（ｔ）が、
計時時間（ｔ）＞予定時間（Ｔ）＋ΔＴ´
（但し、ΔＴ´＞ΔＴ）
であれば、ホームゲートウェイ２は、計時時間（ｔ）が予定時間（Ｔ）を越えたと判断して（Ｃ２にて「ＹＥＳ」）、メール作成信号をＡＳＰサーバ１３に送信する（Ｃ３）。これを受けて、ＡＳＰサーバ１３は、図１０のリストを参照して給湯器８の自動給湯が予定時間を越えていることを示すメールを作成する（Ｃ４）。この場合、通知番号５の「湯はりが予定時間を越えて動作中です。必要に応じて湯はりを停止してください。」という内容（自動給湯が予定時間を越えていることに相当）のメールを作成する。そして、作成したメールを携帯電話機１５に送信する（Ｃ５）。これにより、使用者は、湯はりが予定時間を越えていることを確認できると共に、必要に応じて「湯はり停止」ボタン２７ｃを操作することにより、湯はりを停止することができる。
【００５２】
一方、計時時間（ｔ）が予定時間（Ｔ）＋ΔＴ´よりも小さい場合では、ホームゲートウェイ２は、計時時間（ｔ）が予定時間（Ｔ）を越えていないと判断して（Ｃ２にて「ＮＯ」）、再び、給湯器８から出力される給湯状態信号（オフ）を受信したか否かを監視する（Ｃ１）。そして、給湯器８から給湯状態信号（オフ）が出力されると（Ａ１４〜Ａ１７）、これを受信して（Ｃ１にて「ＹＥＳ」）、第１の実施形態で示した場合と同様の通常シーケンス（Ｃ６；図６のＡ１８〜Ａ２１）を実行する。
【００５３】
以上に説明したように第２の実施形態によれば、給湯リモコン１０からの給湯状態信号がオンの状態のまま計時時間（ｔ）が予定時間（Ｔ）を越えた場合に、携帯電話機１５に対して自動給湯が予定時間（Ｔ）を越えていることを通知することにより、例えば給湯器８の加熱能力が何らかの原因で低下している状態などで、自動給湯が通常要する時間以上を要していることを外出先にて認識することができる。また、この通知に応じて携帯電話機１５から遠隔操作して給湯器８の自動給湯を停止することができる。
【００５４】
（第３の実施形態）
図１１及び図１２は本発明の第３の実施形態を示すもので、第１の実施形態と異なるところは、予約時刻を設定可能に構成したところである。
【００５５】
まず、図１において、ホームゲートウェイ２には、例えば設定スイッチなどを操作することにより各設備機器（ネットワーク設備機器３〜７や給湯器８）について予約時刻を設定可能な予約設定機能（予約設定手段に相当）が設けられている。そして、ホームゲートウェイ２は、予め設定された予約時刻になると、設定された設備機器に対して制御コマンド（給湯器８に対しては自動給湯信号）を送信するようになっている。
【００５６】
図１１は、第３の実施形態のシーケンスを示すものである。ホームゲートウェイ２は、使用者が予約設定機能によって給湯器８の自動給湯の予約時刻を設定すると、その予約時刻を、例えばデータベース１４に設けられたユーザＩＤと設備機器と予約時刻のリスト（図示せず）に記憶する（Ｄ１）。そして、ホームゲートウェイ２は、上記したタイマー機能などを用いて現在の時刻が予約時刻になったか否かを監視する（Ｄ２）。ホームゲートウェイ２は、現在の時刻が予約時刻になると（Ｄ２にて「ＹＥＳ」）、メール作成信号をＡＳＰサーバ１３に送信する（Ｄ３）。これを受けて、ＡＳＰサーバ１３は、図１２のリストを参照して、通知番号６の「○時△分になりました。湯はりを開始しますか？」という内容（自動給湯を開始するか否かを確認するための情報に相当）のメールを作成する（Ｄ４）。そして、作成したメールを携帯電話機１５に送信する（Ｄ５）。
【００５７】
これを受けて、携帯電話機１５には、湯はり確認画面（図示せず）が表示される。この湯はり確認画面には、湯はりを開始するための「湯はり」ボタンと、湯はりをキャンセルするための「キャンセル」ボタンが表示される。そして、携帯電話機１５は、「湯はり」ボタンが押されたか否かを監視し（Ｄ６）、「湯はり」ボタンが押された場合では（Ｄ６にて「ＹＥＳ」）、ＡＳＰサーバ１３に給湯開始信号の送信を要求する（Ａ１）。これを受けて、ＡＳＰサーバ１３、ホームゲートウェイ２、アダプタ９、給湯リモコン１０及び給湯器８は、第１の実施形態で示した場合と同様の通常シーケンス（Ｄ７；図６のＡ２〜Ａ２１）を実行する。
【００５８】
一方、携帯電話機１５は、「湯はり」ボタンが押されなかった場合では（Ｄ６にて「ＮＯ」）、「キャンセル」ボタンが押されたか否かを監視する（Ｄ８）。そして、「キャンセル」ボタンが押された場合には（Ｄ８にて「ＹＥＳ」）、湯はり確認画面を閉じて、この処理を終了する。「キャンセル」ボタンが押されなかった場合には（Ｄ８にて「ＮＯ」）、再び、「湯はり」ボタンが押されたか否かを監視する。
【００５９】
以上に説明したように第３の実施形態によれば、外出先からも自動給湯の予約をすることができ、また、予約時刻になると、使用者が携帯電話機１５から自動給湯を開始するか否かの通知を受けて何れかを選択することができる。これにより、自動給湯の開始を確認できると共に、予約を変更したいときには取り止めるなどして、使用者のライフスタイルに合わせて湯はりを行うことができる。
【００６０】
なお、予約時刻の設定を携帯電話機１５やパソコン１１からＡＳＰサーバ１３を介して設定可能に構成しても良い。
現在の時刻が予約時刻になった場合に（Ｄ２にて「ＹＥＳ」）、携帯電話機１５に確認のためのメールを送信する前に自動給湯（湯はり）を開始し、その後に、湯はりを開始した旨を通知するように構成しても良い。これにより、例えば予約時刻に携帯電話機１５でメールが受信できない場所にいる場合でも、支障なく自動給湯を実施することができる。この場合、通知されたメールから自動給湯を停止できるようにしても良い。
【００６１】
（その他の実施形態）
なお、本発明は、上記した各実施形態に限定されるものではなく、次のように変形または拡張することができる。
【００６２】
複数の携帯電話機１５（複数の使用者）に対して自動給湯に関する情報（湯はりが開始されたこと、湯はりが終了したこと、湯はりが初期停止したこと、湯はりの状態、湯はりが停止したこと、湯はりが予定時間をこえていることなど）を通知するように構成しても良い。この構成によれば、複数の使用者のうちの１人が自動給湯を開始させると、他の使用者の携帯電話機１５に対して自動給湯に関する情報が通知され、全員が湯はりの状態を確認することができる。また、例えば一人住まいの使用者などに対して、別居する家族や関係者の携帯電話機１５を情報の通知先として設定することで、その使用者の自動給湯の利用状況から安否を認識するひとつの手段として利用することができる。
【００６３】
また、ホームゲートウェイ２が、パソコン１１から自動給湯に関する信号（給湯開始信号、給湯停止信号、状態確認信号）を受信すると共に、パソコン１１に対して自動給湯に関する情報を通知するように構成しても良い。この構成によれば、住宅１内（例えば居間や書斎など）においても、上記した携帯電話機１５で行ったのと同様に、パソコン１１から自動給湯を遠隔操作することができると共に、自動給湯の状態を確認することができる。
【００６４】
給湯リモコン１０は、台所に限らず、例えば更衣室や居間などに設けても良い。
第１の実施形態、第２の実施形態及び第３の実施形態を組み合わせて実施しても良い。
上記した各実施形態では、自動給湯の開始や停止を遠隔操作するものを示したが、これに限らず、給湯温度や給湯量などを携帯電話機１５やパソコン１１から遠隔操作によって設定可能に構成しても良い。
【００６５】
自動給湯に要した時間として計時時間（ｔ）をパソコン１１に日付と共に記憶するように構成しても良い。これにより、例えば、日付と共に計時時間（ｔ）が長くなっている場合には、給湯器８に何らかの劣化（経年劣化）が生じていることなどを推測することができ、メンテナンス情報として利用することができる。
【図面の簡単な説明】
【００６６】
【図１】本発明の第１の実施形態を示す全体構成図
【図２】データベースに記憶されているユーザＩＤと氏名のデータ
【図３】データベースに記憶されているユーザＩＤと設備機器及び設置場所のデータ
【図４】データベースに記憶されている設備機器と通知内容のデータ
【図５】携帯電話機に送信される画面の内容を示す図
【図６】制御の流れを示すシーケンス図
【図７】携帯電話機に送信されるメールの内容を示す図
【図８】メール作成ルーチンのフローチャート
【図９】本発明の第２の実施形態を示す図６相当図
【図１０】図４相当図
【図１１】本発明の第３の実施形態を示す図６相当図
【図１２】図４相当図
【符号の説明】
【００６７】
図面中、１は住宅、２はホームゲートウェイ（集中制御装置、計時手段、予約設定手段）、３〜７はネットワーク設備機器（設備機器）、８は給湯器（給湯装置）、９はアダプタ（信号変換アダプタ）、１０は給湯リモコン（給湯制御装置）、１１はパソコン（情報端末装置）、１３はＡＳＰサーバ、１５は携帯電話機（携帯型通信装置）を示す。
【図１】
0004777115.tif 000002
【図２】
0004777115.tif 000003
【図３】
0004777115.tif 000004
【図４】
0004777115.tif 000005
【図５】
0004777115.tif 000006
【図６】
0004777115.tif 000007
【図７】
0004777115.tif 000008
【図８】
0004777115.tif 000009
【図９】
0004777115.tif 000010
【図１０】
0004777115.tif 000011
【図１１】
0004777115.tif 000012
【図１２】
0004777115.tif 000013